(57)【要約】【課題】  被写体に応じて、色補正処理をより一段と適切に行うこと。【解決手段】  被写体から得られた画像データと、設定された色空間モードと、撮影モードとのそれぞれの内容を解析し、該解析結果に基づいて、色域重視か或いは階調性重視かを判断し、その判断結果に応じて色補正空間を切り替えて色補正処理を行う。【選択図】  図１
2005167735.tif 000002
【特許請求の範囲】
【請求項１】
撮像データを取得する撮像手段と、
撮影時の撮影モードを設定する撮影モード設定手段と、
階調性重視又は色域重視の色補正を行うための複数の色補正情報と、
前記撮像データと前記撮影モードとを解析し、階調性重視か色域重視かを判断する解析手段と、
前記解析された解析結果に基づいて、前記複数の色補正情報の中から所望の色補正情報を選択する色補正空間選択手段と、
前記選択された色補正情報に対応して、前記取得した撮像データの色補正を行い、色補正された画像データを生成する色補正手段と
を具えたことを特徴とする画像データ処理装置。
【請求項２】
前記撮影モードは、前記撮影データを取得する際の、人物、風景、夜景、又は自動の各モードであることを特徴とする請求項１記載の画像データ処理装置。
【請求項３】
前記色補正手段は、
前記解析手段による前記撮影データの解析結果から階調性を重視すると判断した場合は、階調性重視の色補正情報を用いて色補正された画像データを生成することを特徴とする請求項１又は２記載の画像データ処理装置。
【請求項４】
前記色補正手段は、
設定した色空間モードに対応した色補正情報と、前記解析手段による解析結果に基づいて実際に色補正処理に用いられた色補正情報とが異なると判断した場合は、階調性重視の画像データと色域重視の画像データとの２種類のデータを生成することを特徴とする請求項１ないし３のいずれかに記載の画像データ処理装置。
【請求項５】
前記色空間モードは、階調性重視、色域重視、又は自動の各モードであることを特徴とする請求項１ないし４のいずれかに記載の画像データ処理装置。
【請求項６】
前記生成された画像データを保存する保存手段をさらに具えたことを特徴とする請求項１ないし５のいずれかに記載の画像データ処理装置。
【請求項７】
撮像データを取得する撮像工程と、
撮影時の撮影モードを設定する撮影モード設定工程と、
前記撮像データと前記撮影モードとを解析し、階調性重視か色域重視かを各々判断する解析工程と、
前記解析された解析結果に基づいて、前記複数の色補正情報の中から所望の色補正情報を選択する色補正空間選択工程と、
前記選択された色補正情報に対応して、前記取得した撮像データの色補正を行い、色補正された画像データを生成する色補正工程と
を具えたことを特徴とする画像データ処理方法。
【請求項８】
請求項７記載の画像データ処理方法により生成された画像データを記録することを特徴とする記録媒体。
【請求項９】
撮影された画像データを解析し
前記画像データ解析手段の結果から、第一と第二の色空間変換から選択された色空間の画像データに前記撮影された画像データを変換する色変換手段と、
前記色空間変換手段にて変換された画像データを記録媒体に保存する画像データ保存手段と
を具えたことを特徴とする画像データ処理方法。
【請求項１０】
前記第一の色空間とは、ｓＲＧＢ色空間であることを特徴とする請求項９記載の画像データ処理方法。
【請求項１１】
上記第二の色空間とは、ＡｄｏｂｅＲＧＢ色空間であることを特徴とする請求項９記載の画像データ処理方法。
【請求項１２】
前記画像データ解析手段とは、画像データに対して顔認識処理を行うことであることを特徴とする請求項９記載の画像データ処理方法。
【請求項１３】
前記画像データ解析手段とは、画像データに対して肌色認識処理を行うことであることを特徴とする請求項９記載の画像データ処理方法。
【発明の詳細な説明】
【技術分野】
【０００１】
本発明は、デジタルカメラで撮像したデータをデジタル画像化し、画像データとして処理する、画像データ処理装置、画像データ処理方法、並びに記録媒体に関する。
【背景技術】
【０００２】
従来のデジタルカメラで画像データを撮影した場合における画像処理の流れを、図９に基づいて説明する。
Ｓ２０１では、デジタルカメラのシャッターボタンが押下されると、レンズに光を入光させる。
Ｓ２０２では、入光した光をＣＣＤやＣＭＯＳ等のセンサに当て、光信号をＲＧＢのデジタル信号に変換する。
Ｓ２０３では、デジタル化したデータに対し、補間処理を行い、さらに、ホワイトバランス等の処理を行う。
Ｓ２０４では、補間処理を行ったデータを、ユーザの指定によって、ｓＲＧＢ色空間や、それよりも広いＡｄｏｂｅＲＧＢ色空間に色補正を行う。
Ｓ２０５では、モニター出力に合わせて、その色補正したデータのガンマ処理を施す。
Ｓ２０６では、そのガンマ処理したデータのＪＰＥＧ（Ｊｏｉｎｔ  Ｐｈｏｔｏｇｒａｐｈｉｃ  Ｅｘｐｅｒｔｓ  Ｇｒｏｕｐ）圧縮を行う。
【０００３】
【特許文献１】特開２００３−１９８９０９号公報
【発明の開示】
【発明が解決しようとする課題】
【０００４】
図８は、色補正処理に用いられる、ｓＲＧＢ色空間とＡｄｏｂｅＲＧＢ色空間との関係を示す。
上記従来の画像処理において、Ｓ２０４では、ユーザによって、色補間される色空間が指定されるが、ＪＰＥＧは通常、８ビットのビット精度であるので、ＡｄｏｂｅＲＧＢ色空間が指定された場合には、撮影された画像データの色域は広がるが、階調性が低下してしまう。このような階調性の低下は、特に、被写体が人物である場合に顕著に現れる。
【０００５】
また、ｓＲＧＢ色空間を用いた色補正処理と、ＡｄｏｂｅＲＧＢ色空間を用いた色補正処理とが同じビット精度であった場合、ｓＲＧＢ色空間では、ＡｄｏｂｅＲＧＢ色空間に比べて、階調性が良い。
つまり、被写体が人物以外の風景などの場合は、色域を重視するので、ＡｄｏｂｅＲＧＢ色空間を指定するのがよく、一方、人物などの場合は、肌色の階調性を重視するので、ｓＲＧＢ色空間を指定するのがよい。このように、本来は、撮影する被写体に合わせて、色補正時の色空間を個別に切り替えるべきであるが、従来の色補正処理では、色域を重視するか階調性を重視するかを、被写体の内容に応じて色補正を行っていない。
そこで、本発明の目的は、被写体に応じて色補正処理をより一段と適切に行うことが可能な、画像データ処理装置、画像データ処理方法、並びに記録媒体を提供することにある。
【課題を解決するための手段】
【０００６】
本発明は、撮像データを取得する撮像手段と、撮影時の撮影モードを設定する撮影モード設定手段と、階調性重視又は色域重視の色補正を行うための複数の色補正情報と、前記撮像データと前記撮影モードとを解析し、階調性重視か色域重視かを判断する解析手段と、前記解析された解析結果に基づいて、前記複数の色補正情報の中から所望の色補正情報を選択する色補正空間選択手段と、前記選択された色補正情報に対応して、前記取得した撮像データの色補正を行い、色補正された画像データを生成する色補正手段とを具えることによって、画像データ処理装置を構成する。
前記撮影モードは、前記撮影データを取得する際の、人物、風景、夜景、又は自動の各モードとしてもよい。
【０００７】
前記色補正手段は、前記解析手段による前記撮影データの解析結果から階調性を重視すると判断した場合は、階調性重視の色補正情報を用いて色補正された画像データを生成してもよい。
前記色補正手段は、設定した色空間モードに対応した色補正情報と、前記解析手段による解析結果に基づいて実際に色補正処理に用いられた色補正情報とが異なると判断した場合は、階調性重視の画像データと色域重視の画像データとの２種類のデータを生成してもよい。
前記色空間モードは、階調性重視、色域重視、又は自動の各モードとしてもよい。
前記生成された画像データを保存する保存手段をさらに具えてもよい。
【０００８】
本発明は、撮像データを取得する撮像工程と、撮影時の撮影モードを設定する撮影モード設定工程と、前記撮像データと前記撮影モードとを解析し、階調性重視か色域重視かを各々判断する解析工程と、前記解析された解析結果に基づいて、前記複数の色補正情報の中から所望の色補正情報を選択する色補正空間選択工程と、前記選択された色補正情報に対応して、前記取得した撮像データの色補正を行い、色補正された画像データを生成する色補正工程とを具えることによって、画像データ処理方法を提供する。
【０００９】
本発明は、上記画像データ処理方法により生成された画像データを記録することによって、記録媒体を提供する。
本発明は、撮影された画像データを解析し、前記画像データ解析手段の結果から、第一と第二の色空間変換から選択された色空間の画像データに前記撮影された画像データを変換する色変換手段と、前記色空間変換手段にて変換された画像データを記録媒体に保存する画像データ保存手段とを具えることによって、画像データ処理方法を提供する。
上記第一の色空間とは、ｓＲＧＢ色空間としてもよい。
上記第二の色空間とは、ＡｄｏｂｅＲＧＢ色空間としても良い。
【００１０】
上記画像データ解析手段とは、画像データに対して顔認識処理を行うようにしてもよい。
上記画像データ解析手段とは、画像データに対して肌色認識処理を行うようにしてもよい。
【発明の効果】
【００１１】
本発明によれば、被写体から得られた画像データと、設定された色空間モードと、撮影モードとのそれぞれの内容を解析し、該解析結果に基づいて色域重視か或いは階調性重視かを判断し、その判断結果に応じて色補正空間を切り替えて色補正処理を行うようにしたので、被写体に応じて色補正処理をより一段と適切に行うことが可能となる。
【発明を実施するための最良の形態】
【００１２】
以下、図面を参照して、本発明の実施の形態について説明する。
［第１の例］
本発明の第１の実施の形態を、図１〜図６に基づいて説明する。
図２は、本発明に係るデジタルカメラのシステム構成例を示す。
本システムには、入力装置１０１と、表示装置１０２と、蓄積装置１０３と、ＣＰＵ１０４と、ＲＯＭ１０５と、ＲＡＭ１０６とが具えられている。
入力装置１０１は、ユーザからの指示や、データを入力する装置で、キーボードやマウスなどのポインティングシステムを含む。
表示装置１０２は、ＧＵＩ（Ｇｒａｐｈｉｃａｌ  Ｕｓｅｒ  Ｉｎｔｅｒｆａｃｅ）などを表示する装置であり、通常はＣＲＴや、液晶ディスプレイなどが用いられる。
蓄積装置１０３は、画像データ、プログラムを蓄積する装置であり、通常は、ハードディスクが用いられる。
ＣＰＵ１０４は、本システムの統括的な制御、上記各構成の処理、本発明の画像データ処理等を実行する。
ＲＯＭ１０５およびＲＡＭ１０６は、各種制御の処理に係るプログラムの記憶領域、撮像データや画像データの保存領域、各種処理の作業領域等として利用される。
本発明に係る図１、図７のフローチャートに示すような画像データ処理に係る制御プログラム１０は、蓄積装置１０３、又は、ＲＯＭ１０５に格納することができる。蓄積装置１０３に格納されている場合は、ＲＡＭ１０６に一旦読み込まれてから実行される。
【００１３】
図３は、ＪＰＥＧファイルを撮影するデジタルカメラの外観構成を示す。
デジタルカメラ３００には、撮影モードを変更するモードダイヤル３０３が設けられている。モードダイヤル３０３を回転させることにより、撮影時の４種類の撮影モードを変更することができる。
【００１４】
図４は、撮影モードの例を示す。
撮影モードには、人物を撮影する人物撮影モード３０６と、風景を撮影する風景撮影モード３０７と、夜景を撮影する夜景撮影モード３０８と、その他の大半のシーンを撮影するのに使用される自動撮影モード３０９とがある。
モードダイヤル３０３を回転させる毎に、これらの撮影モードが変更され、現在選択されているモードが、液晶パネル３０４上に、選択モード３０５としてアイコン表示されている。
そして、シャッターボタン３０２を押下することにより、現在選択されている撮影モードによって、ＪＰＥＧ画像が撮影される。
【００１５】
図５は、デジタルカメラ３００の背面構成を示す。
デジタルカメラ３００の背面４０１には、液晶ディスプレイ４０２が設けられている。この液晶ディスプレイ４０２には、デジタルカメラ３００の様々な設定を行うためのＵＩ（Ｕｓｅｒ  Ｉｎｔｅｒｆａｃｅ）が表示される。ＵＩの操作は、操作ボタン４０４ａ〜４０４ｄを用いて行われる。
【００１６】
図６は、色空間モードを設定する操作画面４０５の例を示す。
操作画面４０５には、撮影に際して色空間を切り替えるために、ｓＲＧＢモード４１１と、ＡｄｏｂｅＲＧＢモード４１２と、自動選択モード４１３とが表示される。ｓＲＧＢモード４１１はｓＲＧＢ色空間を用いた色補正処理を、ＡｄｏｂｅＲＧＢモード４１２はＡｄｏｂｅＲＧＢ色空間を用いた色補正処理を、それぞれ実行するためのモードである。これらｓＲＧＢ色空間、ＡｄｏｂｅＲＧＢ色空間は、前述した図８に示したような色域で定義されるものである。
【００１７】
これら色空間を選択する際には、液晶ディスプレイ４０２での操作画面４０５のＵＩが表示され、３つの色空間モード４１１〜４１３の中から、１つを選択することにより、色空間を指定できる。
ただし、自動選択モード４１３に設定された場合は、撮影モード３０６〜３０９の設定内容を優先的に考慮して、被写体の撮影されたデータ内容を判別し、この判別結果に基づいて、階調性を重視するのか或いは色域を重視するのかを自動的に認識することができる。
【００１８】
以下、本装置の動作について説明する。
図１は、本発明に係る画像データ処理のフローチャートを示す。
本例では、デジタルカメラ３００で被写体を撮影する際に、色空間として「自動選択モード４１３」を選択した場合の色補正処理について説明する。
Ｓ５０１では、操作画面４０５上で、色空間として「自動選択モード４１３」に設定する。
Ｓ５０２では、被写体を撮影するために、シャッターボタン４０３を押下する。
Ｓ５０３では、被写体をＣＣＤセンサ等の撮影素子を用いて撮影し、その撮影したデータである光信号をＲＧＢデジタル信号に変換して、デジタル化された画像データを得る。
Ｓ５０４では、そのデジタル化された画像データに対して、補間処理とホワイトバランスの調整を行う。
Ｓ５０５では、撮影に用いた撮影モードを、液晶パネル３０４の選択モード３０５から読み取る。このときの、撮影モードは、図４の撮影モード３０６〜３０９のいずれかである。
Ｓ５０６では、撮影時の撮影モード、色空間モード、撮影した画像データの内容を解析し、これら解析結果から、階調性を重視するのか或いは色域を重視するのかを判断する。
具体的には、色空間として自動選択モード４１３を設定しているため、階調性を重視するか否かの判断は、撮影時の撮影モードの設定内容を優先して決定される。これにより、例えば、撮影時の撮影モードが、人物撮影モード３０６であった場合は、階調性を重視すると判断し、Ｓ５０７に進む。
【００１９】
一方、Ｓ５０６において、人物以外のモードとして、風景撮影モード３０７、夜景撮影モード３０８、自動撮影モード３０９であった場合は、より広い色域を重視すると判断し、Ｓ５１０に進む。
Ｓ５０７では、画像データに対し、ｓＲＧＢ色空間用のｎ×ｍのマトリクス演算（ｎ，ｍは、２以上の整数）として３×３のマトリクス演算を行い、ｓＲＧＢ色空間に色補正を行う。その結果、画像データは、図８のｓＲＧＢ色空間の点線で囲まれた領域６０内に変換される。
Ｓ５１０では、画像データに対し、ＡｄｏｂｅＲＧＢ色空間用のｎ×ｍのマトリクス演算として３×３のマトリクス演算を行い、ＡｄｏｂｅＲＧＢ色空間に色補正を行う。その結果、画像データは、図８のＡｄｏｂｅＲＧＢ色空間の実線で囲まれた領域７０内に変換される。
【００２０】
図８を見ても明らかなように、ｓＲＧＢ色空間とＡｄｏｂｅＲＧＢ色空間とでは、ＡｄｏｂｅＲＧＢ色空間の方が、色域が広いので、同ビット精度であった場合には、ｓＲＧＢ色空間では、ＡｄｏｂｅＲＧＢ色空間に比べて、１４０％程度、階調性が上昇する。
Ｓ５０８では、その色補正された画像データに対して、モニター用にガンマ補正を行う。
Ｓ５０９では、その色補正された画像データをＪＰＥＧ圧縮し、ファイルとして保存する。このデータ保存に際し、撮影に用いた撮影モードを、画像の付加情報として、ファイルのヘッダーに付加する。
【００２１】
以上説明したように、撮影時に設定した撮影モードと、色空間モードと、撮影したデータ内容とを解析し、その解析結果から被写体が人物主体か否かを判別し、階調性重視か或いは色域重視かを、自動的に識別することができる。このような画像データの処理の結果、人物等が被写体である場合には、豊かな階調性を持つ画像データを作成することができ、風景等が被写体である場合には、豊かな色域を再現可能な画像データを作成することができる。
【００２２】
次に、変形例について説明する。
色空間モードとして自動選択モード４１３が設定され、かつ、撮影モードとして自動撮影モード３０９が設定された場合には、図１のＳ５０６の解析処理において、以下のような処理をしてもよい。
具体的には、撮影した被写体のデータ内容を解析し、その解析結果に応じて、カメラ側で自動的に色空間を切り替えるようにする。例えば、焦点距離、倍率、シャッター速度等を加味して、撮影データの内容を解析し、人物を主体としたデータであると判断した場合には階調性を重視したｓＲＧＢ色空間を選択し、人物以外の風景等を主体としたデータであると判断した場合には色域を重視したＡｄｏｂｅＲＧＢ色空間を選択する。そして、この選択した色空間を用いてＳ５０７又はＳ５１０において色補正処理を実行するようにしてもよい。
【００２３】
［第２の例］
次に、本発明の第２の実施の形態を、図７に基づいて説明する。なお、前述した第１の例と同一部分については、その説明を省略し、同一符号を付す。
【００２４】
本例では、画像データ処理の他の例として、デジタルカメラ３００で被写体を撮影する際に、色空間として「ＡｄｏｂｅＲＧＢモード４１２」を選択し、撮影モードとして「人物撮影モード３０６」を選択した場合の色補正処理について説明する。
【００２５】
Ｓ６０１では、選択モード３０５を用いて、色空間を「ＡｄｏｂｅＲＧＢモード」に設定する。
Ｓ６０２では、被写体を撮影するために、シャッターボタン４０３を押下する。
Ｓ６０３では、被写体をＣＣＤセンサ等の撮影素子を用いて撮影し、その撮影したデータである光信号をＲＧＢデジタル信号に変換して、デジタル化された画像データを得る。
Ｓ６０４では、そのデジタル化された画像データに対して、補間処理とホワイトバランスの調整を行う。
Ｓ６０５では、撮影に用いた撮影モードとして、人物撮影モード３０６を読み取る。
Ｓ６０６では、撮影時の撮影モード、色空間モード、撮影した画像データの内容を解析し、これら解析結果から、階調性を重視するのか、色域を重視するのかを判断する。
具体的には、撮影時の撮影モードが人物撮影モード３０６であるので、階調性を重視すると判断し、Ｓ６０７に進む。
なお、人物以外の、風景撮影モード３０７や、夜景撮影モード３０８、自動撮影モード３０９であった場合は、より広い色域を重視すると判断し、Ｓ６１１に進むことになるが、この例では対象外な処理のため、その説明は省略する。
【００２６】
Ｓ６０７では、加工された画像データ（以下、画像データＡという）に対して、ｓＲＧＢ色空間用のｎ×ｎのマトリクス演算として３×３のマトリクス演算を行い、ｓＲＧＢ色空間に色補正を行う。その結果、画像データは、図８のｓＲＧＢ色空間の点線で囲まれた領域６０内に変換される。
Ｓ６０８では、色補正された画像データＡに対して、モニター用にガンマ補正を行う。
Ｓ６０９では、画像データＡをＪＰＥＧ圧縮し、ファイルとして保存する。この保存に際し、撮影に用いた撮影モードを、画像の付加情報として、ファイルのヘッダーに付加する。
Ｓ６１０では、Ｓ６０１で指定された色空間と、Ｓ６０７で実際に色補正された色空間とが同一のものであるか否かを検査する。
もし、検査結果が同一であると判断した場合には、処理を終了する。一方、検査結果が同一でないと判断した場合には、Ｓ６１１に進む。
Ｓ６１１では、画像データＡに対し、ＡｄｏｂｅＲＧＢ色空間用のｎ×ｎのマトリクス演算として３×３のマトリクス演算を行い、ＡｄｏｂｅＲＧＢ色空間に色補正を行う。その色補正の結果として生成された画像データを画像データＢとする。この画像データＢは、図８のＡｄｏｂｅＲＧＢ色空間の実線で囲まれた領域７０内に変換される。
【００２７】
図８を見ても明らかなように、ｓＲＧＢ色空間とＡｄｏｂｅＲＧＢ色空間とでは、ＡｄｏｂｅＲＧＢ色空間の方が、色域が広いので、同ビット精度であった場合、ｓＲＧＢ色空間の方が階調性は良くなる。
その後、画像データＢは、Ｓ６１０において処理されるが、今度は、Ｓ６０１で指定された色空間と、Ｓ６１１で実際に色補正された色空間とが共にＡｄｏｂｅＲＧＢ色空間であり同一であるため、処理を終了する。
【００２８】
以上の処理の結果、Ｓ６０１においてＡｄｏｂｅＲＧＢ色空間を指定し、かつ、撮影モードが人物撮影モード３０６であった場合には、Ｓ６０６→Ｓ６０７→Ｓ６０８→Ｓ６０９→Ｓ６１０→Ｓ６１１→Ｓ６０８→Ｓ６０９→Ｓ６１０→エンドへと処理が進む。その結果、ｓＲＧＢ色空間に色補正した画像データＡと、ｓＲＧＢ色空間およびＡｄｏｂｅＲＧＢ色空間の両方に色補正した画像データＢの、２種類の画像ファイルが生成されることになる。
その結果、ユーザの指定した、ＡｄｏｂｅＲＧＢ色空間に色補正した画像データＢに階調性の低下が見られる場合においても、ｓＲＧＢ色空間に色補正した画像データＡも保存されているので、撮影した貴重なデータを救済することができる。
【００２９】
次に、変形例について説明する。
夜の室内でのパーティー等において、人物画を撮影するような場合が想定される。このような場合、色空間として「ＡｄｏｂｅＲＧＢモード４１２」を選択し、撮影モードとして「夜景撮影モード３０８」を選択した場合、通常の処理ならば、夜景撮影モード３０８が設定されていることから、Ｓ６０６で人物以外と判断してＳ６１１へ進み、ＡｄｏｂｅＲＧＢ色空間に色補正された１個の画像データのみを生成するように思われる。
【００３０】
しかし、本発明におけるＳ６０６の解析処理では、撮影モードのみで判断するのではなく、撮影データに肌色部分が存在するかを肌色判定用の色相情報から識別して肌色認識を行なった結果更には、その肌色認識結果に基づき肌色が存在する領域を特定し、該領域を楕円に近似し、この楕円内の所定の位置に(1)目領域の対が存在するか、(2)鼻、口等の器官領域が存在するかを識別することにより顔認識を行なった結果に基づく撮影データの内容や、他の色空間モードの設定内容も同時に加味して総合的に解析して、階調性重視か色域重視かを判断しているので、たとえ夜景撮影モード３０８が設定されていたとしても、Ｓ６０６での解析の結果、人物主体と判断した場合には、Ｓ６０７へ進み、ｓＲＧＢ色空間に色補正された１個の画像データＡを生成し、その後、Ｓ６１０で色空間が異なるため、Ｓ６１１へ進み、今度はＡｄｏｂｅＲＧＢ色空間に色補正されたもう１個の画像データＢが生成されることになり、２種類の画像データが保存されることになるため、撮影状況に即した実感のある繊細な画像を生成することが可能となる。
【００３１】
なお、前述した例は、デジタルカメラ等の撮像装置に適用できるが、この他に、複数の機器（例えば、ホストコンピュータ、インターフェース機器、リーダ、プリンタなど）から構成されるシステムに適用しても、１つの機器（例えば、ＰＤＡ（個人情報管理）機器のような小型の画像処理機器、複写機、ファクシミリ装置）からなる装置に適用してもよい。
【００３２】
また、本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【００３３】
この場合、記憶媒体から読出されたプログラムコード自体が前述した実施形態の機能を実現することになり、そのプログラムコードを記憶した記憶媒体は本発明を構成することになる。
【００３４】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【００３５】
また、コンピュータが読出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【００３６】
さらに、記憶媒体から読み出されたプログラムコードが、コンピュータに挿入された機能拡張ポードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００３７】
【図１】本発明の第１の実施の形態である、デジタルカメラの画像データ処理を示すフローチャートである。
【図２】デジタルカメラのシステム構成を示すブロック図である。
【図３】デジタルカメラの外観構成を示す斜視図である。
【図４】撮影モードを示す説明図である。
【図５】デジタルカメラの背面構成を示す斜視図である。
【図６】操作画面でも色空間モードを示す説明図である。
【図７】本発明の第２の実施の形態である、デジタルカメラの画像データ処理を示すフローチャートである。
【図８】ｓＲＧＢ色空間とＡｄｏｂｅＲＧＢ色空間の色域を示す説明図である。
【図９】従来の画像データ処理を示すフローチャートである。
【符号の説明】
【００３８】
１０  制御プログラム
１０１  入力装置
１０２  表示装置
１０３  蓄積装置
１０４  ＣＰＵ
１０５  ＲＯＭ
１０６  ＲＡＭ
３００  デジタルカメラ
３０２  シャッターボタン
３０３  モードダイヤル
３０４  液晶パネル
３０５  選択モード
３０６  人物撮影モード
３０７  風景撮影モード
３０８  夜景撮影モード
３０９  自動撮影モード
４０１  背面
４０２  液晶ディスプレイ
４０３  シャッターボタン
４０４ａ〜４０４ｄ  操作ボタン
４１１  ｓＲＧＢモード
４１２  ＡｄｏｂｅＲＧＢモード
４１３  自動選択モード
【図１】
2005167735.tif 000003
【図２】
2005167735.tif 000004
【図３】
2005167735.tif 000005
【図４】
2005167735.tif 000006
【図５】
2005167735.tif 000007
【図６】
2005167735.tif 000008
【図７】
2005167735.tif 000009
【図８】
2005167735.tif 000010
【図９】
2005167735.tif 000011